(57)【特許請求の範囲】
【請求項１】
構造物の開口部を開閉する引戸に固定された引戸固定体と、この引戸固定体に対して上下動可能に取り付けられた昇降体と、上記構造物に取り付けられ上記昇降体と係合することにより引戸の開閉途中位置において昇降体に対して制動力を付与する受け部材と、この受け部材と上記昇降体との係合による昇降体の制動に伴い上記昇降体を上記引戸固定体に対して上昇させて該昇降体を上記構造物に押圧させる昇降機構とを備え、
上記昇降体は、上記構造物に備えられたレールに沿って上記引戸をガイドするガイド本体であり、 
このガイド本体は、上記レールに支持されるガイドローラ又はガイド滑り部材が設けられ、上記昇降体の上昇状態で上記ガイドローラ又はガイド滑り部材が上記レールから離反することを特徴とする引戸の跳ね上げ抑制装置。
【請求項２】
上記昇降機構は、上記昇降体と受け部材との係合による昇降体の制動に伴いこの制動力を上記引戸固定体とガイド本体との離反方向への移動力に変換する力変換機構であることを特徴とする請求項１記載の引戸の跳ね上げ抑制装置。
【請求項３】
上記力変換機構は、上記引戸固定体および昇降体のいずれか一方に設けられた離反傾斜面と、上記引戸固定体および昇降体のいずれか他方に設けられ上記離反傾斜面に沿って相対的に案内される離反ガイド部とを備え、上記昇降体と受け部材との係合による昇降体の制動に伴い上記離反ガイド部が上記離反傾斜面に沿って案内されることにより引戸固定体と昇降体とを離反方向に移動させることを特徴とする請求項２記載の引戸の跳ね上げ抑制装置。
【請求項４】
上記昇降体は、上記引戸固定体に連結される枠体と、この枠体内に一端がフリー状態で収容される弾性部材と、この弾性部材のフリー端部に取り付けられたスライド部材と、このスライド部材の少なくとも所定方向の移動に対して緩衝効果を付与するダンパー部材とを備え、上記引戸の一方向へのスライド時に上記スライド部材と受け部材とが係合して上記弾性部材を伸長させることにより上記スライド部材に当該弾性部材の付勢力を蓄積させ、このスライド部材が所定の保持位置に到達したときに上記スライド部材と受け部材との係合が解除されて上記スライド部材が当該保持位置に保持され、反対方向のスライド時に上記スライド部材と受け部材とが係合することにより上記弾性部材の付勢力が解放されるとともに上記ダンパー部材の緩衝効果による制動力が付与されつつ上記付勢力がスライド部材を通じてスライドアシスト力として引戸に付与されることを特徴とする請求項１ないし請求項３のいずれか１項に記載の引戸の跳ね上げ抑制装置。
【請求項５】
構造物の開口部を開閉する引戸に固定された引戸固定体と、この引戸固定体に対して上下動可能に取り付けられた昇降体と、上記構造物に取り付けられ上記昇降体と係合することにより引戸の開閉途中位置において昇降体に対して制動力を付与する受け部材と、この受け部材と上記昇降体との係合による昇降体の制動に伴い上記昇降体を上記引戸固定体に対して上昇させて該昇降体を上記構造物に押圧させる昇降機構とを備え、
上記昇降体は、上記引戸固定体に連結される枠体と、この枠体内に一端がフリー状態で収容される弾性部材と、この弾性部材のフリー端部に取り付けられたスライド部材と、このスライド部材の少なくとも所定方向の移動に対して緩衝効果を付与するダンパー部材とを備え、上記引戸の一方向へのスライド時に上記スライド部材と受け部材とが係合して上記弾性部材を伸長させることにより上記スライド部材に当該弾性部材の付勢力を蓄積させ、このスライド部材が所定の保持位置に到達したときに上記スライド部材と受け部材との係合が解除されて上記スライド部材が当該保持位置に保持され、反対方向のスライド時に上記スライド部材と受け部材とが係合することにより上記弾性部材の付勢力が解放されるとともに上記ダンパー部材の緩衝効果による制動力が付与されつつ上記付勢力がスライド部材を通じてスライドアシスト力として引戸に付与されることを特徴とする引戸の跳ね上げ抑制装置。
【発明の詳細な説明】
【技術分野】
【０００１】
本発明は、構造物の開口部を開閉する引戸に対して制動力を作用させた場合の引戸の跳ね上げを抑制する引戸の跳ね上げ抑制装置に関するものである。
【背景技術】
【０００２】
近年、構造物の開口部を開閉する引戸に対して、開き方向または閉じ方向のアシスト力を付与するドアクローザー（スライドアシスト装置）が多く見受けられるようになっている。このドアクローザーは、引戸に設けられた引戸側部材と、戸枠に設けられた戸枠側部材とが係脱することによって、引戸に一旦制動力を付与させたのち、引戸に対してスライドアシスト力を付与するように構成されている。
【０００３】
具体的には、このドアクローザーは、引戸の上端側に付設され引戸案内溝内に収容される本体ボディと、この本体ボディ内に一端がフリー状態で収容される引きバネと、この引きバネのフリー端部に取り付けられ上方に突設されたキャッチ体（スライド部材）と、戸枠の引戸案内溝内に下方に突出する態様で設けられたフック体（受け部材）と、このキャッチ体の移動に対して緩衝効果を付与するエアダンパーとを備え、引戸開動作に伴いキャッチ体とフック体とが係合して引きバネを所定量延伸した時点でフック体とキャッチ体との係合状態が解除されるとともに、このキャッチ体が本体ボディに停止保持され、引戸閉動作に伴いキャッチ体とフック体とが再係合してキャッチ体の停止保持状態が解除され引きバネの付勢力で引戸の閉方向のスライドをアシストするように構成されている。
【先行技術文献】
【特許文献】
【０００４】
【特許文献１】特開２００８−１５６８５１号公報
【発明の概要】
【発明が解決しようとする課題】
【０００５】
ところで、前記特許文献１記載のドアクローザーは、スライド部材の移動力を緩衝するエアダンパーが設けられているため、スライド部材と受け部材とが再係合すると、スライド部材の保持状態が解放されるものの、エアダンパーによってスライド部材が制動される。このように引戸の開閉途中位置において制動力が作用すると、引戸のスライド方向端部が跳ね上がる場合があった。すなわち、通常、引戸は戸枠に対して若干の遊びをもって組み付けられており、この遊びに基づき上記制動時にキャッチ体とフック体とが片当たりするなどして引戸のスライド方向端部が跳ね上がる場合があった。
【０００６】
ここで、引戸と戸枠との隙間にこれを埋める部材を介在させ、これにより跳ね上げを抑制することも考えられるが、隙間の広狭は種々存在し、この広狭それぞれの隙間に適合する跳ね上げ抑制部材を複数種類用意したのではコスト増に繋がる。しかも、この跳ね上げ抑制部材は見た目を良好にする観点から戸枠に取り付けられるが、例えば閉じ方向のスライドをアシストするスライドアシスト装置の場合、引戸を閉じ方向にスライドさせてスライド部材と受け部材とが係合するときに、引戸の閉じ方向端部上方に跳ね上げ抑制部材を位置させる必要があり、その位置合わせが面倒であるという問題がある。
【０００７】
本発明は、上記従来の問題点に鑑みてなされたものであり、引戸に制動力が作用した場合に、この制動力に伴う引戸の跳ね上げを簡単かつ効果的に抑制することができる引戸の跳ね上げ抑制装置を提供することを目的としている。
【課題を解決するための手段】
【０００８】
上記課題を解決するために、この発明に係る引戸の跳ね上げ抑制装置は、構造物の開口部を開閉する引戸に固定された引戸固定体と、この引戸固定体に対して上下動可能に取り付けられた昇降体と、上記構造物に取り付けられ上記昇降体と係合することにより引戸の開閉途中位置において昇降体に対して制動力を付与する受け部材と、この受け部材と上記昇降体との係合による昇降体の制動に伴い上記昇降体を上記引戸固定体に対して上昇させて該昇降体を上記構造物に押圧させる昇降機構とを備え、上記昇降体は、上記構造物に備えられたレールに沿って上記引戸をガイドするガイド本体であり、 このガイド本体は、上記レールに支持されるガイドローラ又はガイド滑り部材が設けられ、上記昇降体の上昇状態で上記ガイドローラ又はガイド滑り部材が上記レールから離反することを特徴とするものである。
【０００９】
この発明によれば、引戸固定体と昇降体と受け部材とを備え、この受け部材と上記昇降体との係合による昇降体の制動に伴い上記昇降体を上記引戸固定体に対して昇降させて該昇降体を上記構造物に押圧させる昇降機構をさらに備えるので、昇降体と受け部材との係合によって昇降体が制動されると、昇降機構によって昇降体を引戸固定体に対して相対的に上下方向に移動させることができ、この移動に伴い引戸と構造物との間の隙間などの遊び部分が埋められ、昇降体によって構造物を押圧する。従って、この昇降体による構造物の押圧によって引戸の跳ね上げを簡単かつ効果的に抑制することができる。
【００１０】
上記昇降体は、例えば上記構造物に備えられたレールに沿って上記引戸をガイドするガイド本体である。
【００１１】
このように構成すれば、構造物に備えられたレール内に昇降体であるガイド本体を収容することができ、外観体裁が向上する。
【００１２】
この発明において、昇降機構は昇降体と受け部材とが係合した場合に電動アクチュエータなどによって昇降体を昇降させるものであってもく、また弾性部材による付勢力を利用等することによって昇降体を昇降させるものであってもよいが、上記昇降機構は、上記昇降体と受け部材との係合による昇降体の制動に伴いこの制動力を上記引戸固定体とガイド本体との離反方向への移動力に変換する力変換機構であるのが好ましい。
【００１３】
このように構成すれば、引戸固定体に対して昇降体を昇降させるためにモータ等の別途動力源を必要とせず、この力変換機構によって制動力を昇降体の押圧力に変換することができ、より一層簡単かつ効果的に引戸の跳ね上げを抑制することができる。
【００１４】
また、この場合、力変換機構の具体的構成は特に限定するものではなく、例えば引戸固定体および昇降体のそれぞれに互いに当接する傾斜案内面を設け、互いにこの傾斜案内面に沿って相対的に離反方向へ移動することにより昇降体を昇降させるもの等、昇降体に作用する制動力の反力に基づき引戸固定体に対して昇降体を相対的に昇降させるような傾斜案内面が少なくともいずれか一方に設けられているのが好ましい。具体的には、上記力変換機構は、上記引戸固定体および昇降体のいずれか一方に設けられた離反傾斜面と、上記引戸固定体および昇降体のいずれか他方に設けられ上記離反傾斜面に沿って相対的に案内される離反ガイド部とを備え、上記昇降体と受け部材との係合による昇降体の制動に伴い上記離反ガイド部が上記離反傾斜面に沿って案内されることにより引戸固定体と昇降体とを離反方向に移動させるのが好ましい。
【００１５】
すなわち、昇降体と受け部材とが係合すると、昇降体に制動力が作用し、この制動力を利用して、引戸固定体と昇降体とのいずれか一方に設けられた離反傾斜面に沿って離反ガイド部が案内され、これにより簡単な構造で引戸固定体に対して昇降体を相対的に昇降させることができる。従って、上記のように構成すれば、引戸固定体と昇降体とのいずれか一方に離反傾斜面を設けるとともに他方に離反ガイド部を設けるという、比較的簡単な構造で両者を簡単かつ確実に離反方向に移動させることができる。
【００１６】
また、この発明において、上記ガイド本体の具体的構成については特に限定するものではなく、例えば開閉終期において引戸に対して制動力を付与して引戸を緩衝する引戸制動装置の構成部材であってもよいが、開閉終期において引戸のスライドアシスト力を付与するスライドアシスト装置（ドアクローザー）等であってもよい。具体的には、上記昇降体は、上記引戸固定体に連結される枠体と、この枠体内に一端がフリー状態で収容される弾性部材と、この弾性部材のフリー端部に取り付けられたスライド部材と、このスライド部材の少なくとも所定方向の移動に対して緩衝効果を付与するダンパー部材とを備え、上記引戸の一方向へのスライド時に上記スライド部材と受け部材とが係合して上記弾性部材を伸長させることにより上記スライド部材に当該弾性部材の付勢力を蓄積させ、このスライド部材が所定の保持位置に到達したときに上記スライド部材と受け部材との係合が解除されて上記スライド部材が当該保持位置に保持され、反対方向のスライド時に上記スライド部材と受け部材とが係合することにより上記弾性部材の付勢力が解放されるとともに上記ダンパー部材の緩衝効果による制動力が付与されつつ上記付勢力がスライド部材を通じてスライドアシスト力として引戸に付与されるものであってもよい。
【００１７】
このように本発明の引戸の跳ね上げ抑制装置は、ドアクローザーに好ましく適用することができる。
【発明の効果】
【００１８】
本発明に係る引戸の跳ね上げ抑制装置によれば、昇降体と受け部材との係合によって昇降体が制動されると、昇降機構によって昇降体を引戸固定体に対して相対的に昇降させることができ、この昇降に伴い引戸と構造物との間の隙間などの遊び部分が埋められ、昇降体によって構造物を押圧することができ、この昇降体による構造物の押圧によって引戸の跳ね上げを簡単かつ効果的に抑制することができる。
【図面の簡単な説明】
【００１９】
【図１】本発明に係る引戸の跳ね上げ抑制装置が適用されたスライドアシスト装置を一部分解した状態で示す斜視図である。
【図２】同スライドアシスト装置の装置本体と引戸固定体とを拡大して示す斜視図である。
【図３】同スライドアシスト装置の装置本体と引戸固定体の正面図である。
【図４】同スライドアシスト装置の装置本体と引戸固定体の側面図（図３における右側面図）である。
【図５】同スライドアシスト装置の装置本体を待機位置で示す斜視図である。
【図６】引戸の開放操作時における同装置の作用を説明するための概念図であり、（Ａ）は引戸閉止状態におけるスライド部材と受け突部との関係を示し、（Ｂ）はスライド部材が所定の保持位置において回動掛合片が解除姿勢に姿勢変更した状態を示している。
【図７】引戸の閉止操作時における同装置の作用を説明するための概念図であり、（Ａ）は、一旦開放された引戸を閉止操作することにより、引掛け部材の三角ブロックの前方右縁部が受け部材の受け突部に係合した状態、（Ｂ）は、舌片が角孔から抜け出して解除姿勢から係合姿勢へ姿勢変化した状態をそれぞれ示している。
【図８】このスライドアシスト装置においてスライド部材と受け部材とが再係合した際の作用を説明するための概念図である。
【図９】スライド部材の変形例を示す正面図である。
【図１０】引戸固定体と第１エッジブロックの変形例を示す正面図である。
【発明を実施するための形態】
【００２０】
以下、本発明に係る一実施形態を図面に基づいて説明する。なお、本実施形態の引戸の跳ね上げ抑制装置は、スライドアシスト装置に適用する場合について説明するが、引戸と戸枠の衝突を緩和させるために引戸のスライド終期に引戸に制動力を付与する引戸緩衝装置など、他の装置について適用することも可能である。また、本実施形態の跳ね上げ抑制装置が適用されるスライドアシスト装置は、上端部がガイドレールに案内される、戸車付き下支え形式の引戸について適用したものであるが、戸車付きの非吊下式の引戸であって上端部（戸首部材）がガイドレールに案内されないものや、戸車なしの非吊下式引戸や、吊下式引戸等、その他の引戸にも適用することができる。更に、本実施形態のスライドアシスト装置は、引戸に対し閉止方向についてスライドアシスト力を付与するものとなされているが、開放方向についてアシスト力を付与するものであってもよい。もちろん、開閉各方向についてスライドアシスト力を付与するスライドアシスト装置を引戸にともに設けるものであってもよい。
【００２１】
図１は本実施形態の引戸の跳ね上げ抑制装置が適用されたスライドアシスト装置を一部分解した状態で示す斜視図であり、図２は同装置のアシスト装置本体と引戸固定体とを分解した状態で示す斜視図である。また、図３はアシスト装置本体と引戸固定体とを示す正面図であり、図４は図３における右側面図である。なお、以下、便宜上、各図における＋Ｘ方向を右方向、＋Ｙ方向を後方向、＋Ｚ方向を上方向として説明するが、これらの方向の表現については特に限定されるものではなく、単に本実施形態の装置内における相対的な位置関係を表したものである。
【００２２】
まず、本実施形態のスライドアシスト装置１が取り付けられる引戸Ｄの構造について簡単に説明する。引戸構造は、構造物の開口部を開閉する引戸Ｄと、構造物の開口部の周縁部に固定され内側で引戸Ｄがスライド移動する戸枠（不図示）とを備える。引戸Ｄは、戸本体Ｄ１と、戸本体Ｄ１の下部に取り付けられた左右一対の戸車（不図示）とを備える。なお、この戸車には高さ調節機構（不図示）が設けられ、例えば経年によって戸枠（特に側部内面）との間に隙間が生じた場合でも戸本体Ｄ１を傾斜させて閉め残しを解消することができるものとなされている。
【００２３】
一方、戸枠（構造物に含まれる）は、鴨居下面に設けられ引戸Ｄのスライド方向をガイドするガイドレールＬと、敷居に設けられ引戸Ｄの戸車が案内される案内溝（不図示）とを含み、このガイドレールＬおよび案内溝に沿って引戸Ｄが開閉される。すなわち、引戸Ｄは、その頂部に配設された第１および第２のガイドユニット１０，１１がガイドレールＬに挿通されることにより上部が案内されるとともに、その下部の戸車が上記案内溝に挿通されることにより下部が案内される。
【００２４】
そして、本実施形態のスライドアシスト装置１は、この引戸Ｄの頂部に配設された第１ガイドユニット１０と、ガイドレールＬの天面に固定される受け部材５とを備えて構成されている。
【００２５】
第１ガイドユニット１０は、引戸Ｄに固定された引戸固定体２と、この引戸固定体２に対して上下動可能に取り付けられ引戸Ｄのスライドアシスト機能を有するアシスト装置本体３（昇降体、およびガイド本体に相当）とを備え、第２ガイドユニット１１とともに引戸Ｄのスライド移動を案内するものとなされている。第２ガイドユニット１１は、引戸Ｄに固定された第２引戸固定体１２と、この第２引戸固定体１２に取り付けられたガイドローラユニット１３とを備え、高さ調節機構１４によってガイドローラユニット１３の引戸Ｄからの突出高さ位置を調整し得るものとなされている。なお、本実施形態のような下支え形式の引戸Ｄにおいては、この第２ガイドユニット１１を適宜省略することもできる。
【００２６】
このスライドアシスト装置１は、アシスト装置本体３と受け部材５とが協働して付勢力を蓄積または解放可能に構成され、付勢力が解放される際にアシスト装置本体３に受け部材５が係合してアシスト装置本体３に制動力が作用するようになされているとともに、上記解放された付勢力をスライドアシスト力として引戸Ｄに対して付与されるようになっている。また、このスライドアシスト装置１は、受け部材５が係合してアシスト装置本体３に制動力が作用した場合に、アシスト装置本体３が引戸固定体１２に対して上方向に移動、すなわち相対的に上昇する方向に移動して第１ガイドユニット１０の頂部とガイドレールＬの天面との間の隙間を埋めるとともに、該頂部によってガイドレールＬの天面を押圧し、これにより上記隙間に基づく引戸Ｄの跳ね上げを抑制するものとなされている。
【００２７】
具体的には、引戸固定体２は、引戸Ｄの頂部に埋設されるベースブロック２１と、このベースブロック２１に前後水平軸２２によって軸支される連結部２３とを備え、前後調節ネジ２４を左右に回動させてこのネジ２４の先端に設けられた調整用カム（不図示）を揺動させることによりベースブロック２１に対する連結部２３の前後位置を微調整し得るように構成されている。この引戸固定体２は、アシスト装置本体３を引戸Ｄに固定するためのものであり、連結部２３を介してアシスト装置本体３を上下動（昇降）可能に連結するものとなされている。引戸固定体２の引戸Ｄに対する固定構造については、既に公知であるのでここでは詳しい説明を省略する。
【００２８】
ベースブロック２１は、上方に開口して連結部２３の下端部が収容される収容室２１ａを有するブロック状体であり、このブロックを左右方向に貫通するネジ２５（図４参照）によって引戸Ｄに固定されている。
【００２９】
連結部２３は、ベースブロック２１とガイド本体３とを連結する板状体であり、本実施形態では上下に細長い形状を呈する。より具体的には、連結部２３は、板状の連結本体２３１と、この連結本体２３１の上側右端部に配設された膨出部２３２（図１では省略）とを備え、連結本体２３１の下部がベースブロック２１の収容室２１ａ内に収容された状態で前後水平軸２２によってベースブロック２１に軸支されている。なお、この連結部２３は、本実施形態では引戸Ｄの左右方向の端部に配置されている。
【００３０】
連結本体２３１の上側の一端部（図２では左端部）には所定方向に傾斜する傾斜ガイド孔２３３が板厚方向（前後方向）に貫設されている。受け部材５がアシスト装置本体３（具体的には後述するスライド部材３４）に係合することによって該装置本体３に制動力が作用するが、この傾斜ガイド孔２３３の傾斜方向は、この制動力が作用する方向に向かうにしたがって引戸固定体２とアシスト装置本体３とが互いに離反する方向に向かうように設定されている。すなわち、傾斜ガイド孔２３３の傾斜方向は、上記制動力の作用方向（図２では左方向）と、引戸固定体２とアシスト装置本体３との離反方向（図２では上方向）との成分を有する。
【００３１】
この傾斜ガイド孔２３３の水平方向に対する傾斜角度は特に限定するものではないが、本実施形態では４５°に設定されている。なお、この傾斜ガイド孔２３３の水平方向に対する傾斜角度は、３０°〜６０°の範囲に設定されるのが好ましく、更に好ましくは４０°〜５０°の範囲内に設定されるのが良い。また、この傾斜ガイド孔２３３の上下高さは、少なくともアシスト装置本体３とガイドレールＬの天面との隙間における高さよりも大きく設定され、後に詳述するが、この傾斜ガイド孔２３３によってアシスト装置本体３が離反方向に移動されることにより上記隙間が埋まるとともにアシスト装置本体３の頂部によってガイドレールＬが押圧されるように設定される。
【００３２】
膨出部２３２は、略柱状に構成され、その前後幅がベースブロック２１の収容室２１ａの前後幅よりも大きく形成され、連結部２３全体が収容室２１ａ内に落ち込まないように設定されている。
【００３３】
アシスト装置本体３は、図１および図２に示すように、引戸固定体２に取り付けられた枠体３１と、この枠体３１内に一端がフリー状態で収容される引きバネ３２と、枠体３１内に一端がフリー状態でかつ引きバネ３２と並列に収容されたダンパー部材３３と、この引きバネ３２およびダンパー部材３３のフリー端部に取り付けられたスライド部材３４とを備え、上記付勢力としての引きバネ３２の弾性力を蓄積または解放可能に構成された一般的なものである。従って、このアシスト装置本体３は、その具体的構成を特に限定するものではないが、以下に簡単に説明する。
【００３４】
図２および図５は、アシスト装置本体３を示す斜視図である。これらの図は、スライド部材３４が引戸Ｄの閉止位置に対応する初期位置にあるか、引戸Ｄの開放操作に伴ってスライド部材３４が所定の保持位置にあるかで異なる。
【００３５】
具体的には、アシスト装置本体（以下、単に「装置本体」という）３は、長手方向の各端部に嵌め込まれた第１および第２エッジブロック３１２，３１３を含む角筒状の枠体３１と、枠体３１内であって第２エッジブロック３１３に一端が固定された引きバネ３２と、枠体３１内でこの引きバネ３２と前後に並設されるとともに第２エッジブロック３１３に一端が固定されたダンパー部材３３と、この引きバネ３２およびダンパー部材３３の他端であるフリー端部に取り付けられ、枠体３１内をその長手方向に沿ってスライド可能なスライド部材３４とを備える。この装置本体３は、引戸固定体２に対して上下昇降可能に取り付けられている。
【００３６】
枠体３１は、図２および図５において二点鎖線で示され、左右方向（引戸Ｄのスライド方向）に細長い角筒状の枠本体３１１と、この枠本体３１１の長手方向一端部（右端部）に嵌め込まれる第１エッジブロック３１２と、枠本体３１１の長手方向他端部（左端部）に嵌め込まれる第２エッジブロック３１３とを備え、第１エッジブロック３１２において引戸固定体２の連結部２３に上下動可能に連結されている。
【００３７】
具体的には、第１エッジブロック３１２は、一方向（左右方向）に細長いブロック状体として構成され、その一端部（右端部）に下方および側方（右側方）に開口する移動許容溝３１５が凹設されている。この移動許容溝３１５は、引戸固定体２の連結部２３の上端部が差し込み可能に構成され、この差し込み状態で連結部２３が上下動し得るようになされている。第１エッジブロック３１２の移動許容溝３１５を構成する対向側壁には、それぞれガイドボス３１４（離反ガイド部に相当）を緊密状態に嵌合するための嵌合孔３１２ａがそれぞれ設けられる。そして、移動許容溝３１５内に連結部２３の上端部が差し込まれ、その傾斜ガイド孔２３３と第１エッジブロック３１２の嵌合孔３１２ａを一致させた状態でガイドボス３１４が嵌合孔３１２ａおよび傾斜ガイド孔２３３に差し込み固定されることにより、連結部２３と第１エッジブロック３１２、ひいては引戸固定体２と装置本体３とが接近方向および離反方向に移動可能に連結されている。
【００３８】
この第１エッジブロック３１２には、ガイドレールＬ内を転動するガイドローラ３１６が設けられており、第２エッジブロック３１２に設けられたガイドローラ３１７とともに装置本体３をガイドレールＬ内で円滑にスライドし得るように構成されている。
【００３９】
この引戸固定体２に対する装置本体３の昇降については後に具体的に説明するが、ガイドボス３１４は、本実施形態では前後方向に軸心を有する円柱形状を呈し、図８に示すように、初期位置では傾斜ガイド孔２３３の下端部に位置しており、受け部材５と装置本体３とが係合することによって装置本体３に制動力が作用することにより、傾斜ガイド孔２３３、特にその下面に沿って斜め上方に案内される。このガイドボス３１４の傾斜ガイド孔２３３内の移動に伴い、引戸固定体２と装置本体とが離反方向に移動する。すなわち、ガイドボス３１４および傾斜ガイド孔２３３を有する連結部２３が本発明にいう昇降機構（スライド力変換手段）に相当し、傾斜ガイド孔２３３の下側傾斜面が本発明にいう離反傾斜面に相当する。
【００４０】
一方、枠本体３１１に戻って、この枠本体３１１には、その上面壁に左右方向に延びるガイドスリット３１１ａと、このガイドスリット３１１ａに連設され、ガイドスリット３１１ａに対して拡幅された角形の回動孔３１１ｂとが設けられている。ガイドスリット３１１ａは、枠本体３１１の上面壁の左右方向の中央部より若干右方位置を始点にして右方へ延設されている。このガイドスリット３１１ａの前後幅は、スライド部材３４の後述する回動掛合片３４２における舌片３４２ｃの前後幅よりも狭く設定され、スライド部材３４の回動掛合片３４２が回動できないように構成されている。
【００４１】
また、回動孔３１１ｂは、ガイドスリット３１１ａの右端部に連設されている。この回動孔３１１ｂは、ガイドスリット３１１ａよりも拡幅して構成され、回動掛合片３４２の舌片３４２ｃよりも幅広に構成されている。従って、この回動孔３１１ｂは、スライド部材３４がこの回動孔３１１ｂに至った場合にスライド部材３４の回動掛合片３４２がこの回動孔３１１ｂを通して回動可能に構成されている。
【００４２】
引きバネ３２は、第２エッジブロック３１３とスライド部材３４との間に介設され、スライド部材３４に付勢力を付与するためのものである。具体的には、引きバネ３２の一端部は第２エッジブロック３１３の左端部に係止されることにより枠体３１に固定され、フリー端部である他端部がスライド部材３４の右端部に係止され、これにより引きバネ３２が各部材３１３，３４間に張設されている。なお、この引きバネ３２に代えて、ゴム等からなる弾性部材（例えばゴムバンド）を用いても良い。
【００４３】
ダンパー部材３３は、直動式ダンパーであり、引きバネ３２の付勢力または引戸Ｄのスライド力に対して緩衝効果を付与するものである。このダンパー部材３３は、第２エッジブロック３１３とスライド部材３４の間に架設され、引きバネ３２の後方において該引きバネ３２と並列に配置されている。また、ダンパー部材３３は、エアダンパー、油圧ダンパー等のいずれのダンパーであってもよいが、本実施形態ではエアダンパーが採用されている。更に、ダンパー部材３３は、不図示の一方弁が内蔵された一方向性のダンパーであり、縮む場合、すなわち引戸Ｄが閉止方向に移動する場合に緩衝効果を付与するように構成されている。なお、ダンパー部材について、ロータリーダンパーを採用するものであってもよい。この場合の具体的構造についてはラック機構を用いるなど既に公知であるので、具体的説明は省略する。
【００４４】
スライド部材３４は、引きバネ３２およびダンパー部材３３のフリー端部が係止されるスライドブロック３４１と、スライドブロック３４１に軸支され回転軸３４２ａ周りに回動する回動掛合片３４２とを備え、引戸Ｄの閉止位置に対応する初期位置（図２参照）と枠体３１の回動孔３１１ｂに対応する所定の保持位置（図５参照）との間を引戸Ｄの開閉操作に伴って枠体３１に対して相対的にスライド移動するようになされている。
【００４５】
スライドブロック３４１は、右上方角部が切り欠かれた直方体状のブロック基体３４１ａと、このブロック基体３４１ａから上方に向かって突設された突出係合部３４１ｂとを備える。
【００４６】
ブロック基体３４１ａは、前後幅がガイドスリット３１１ａよりも大きく構成され、枠本体３１１内を摺動可能に構成されている。このブロック基体３４１ａの上記切欠き部に回動掛合片３４２が配置される。
【００４７】
また、突出係合部３４１ｂは、開放状態にある引戸Ｄの閉止操作時の移動速度が速い場合に受け部材５と係合し、ダンパー部材３３の緩衝効果によってその移動速度を減殺するものである。すなわち、この突出係合部３４１ｂと受け部材５とが係合する際に、装置本体３に対して制動力が作用する。この突出係合部３４１ｂは、その前後幅がガイドスリット３１１ａよりも小さく構成され、スライドブロック３４１が枠本体３１１に内装された状態でガイドスリット３１１ａを通じて枠本体３１１から上方に突出するようになされている。
【００４８】
回動掛合片３４２は、引戸Ｄの開放動作に伴いスライド部材３４の初期位置から保持位置に至るまでの間、受け部材５に係合し、スライド部材３４が保持位置に至ることにより回動孔３１１ｂを通じて枠体３１内に没入回動することにより受け部材５との係合状態が解除されるとともにスライド部材３４をその保持位置に停止保持するためのものである。また、回動掛合片３４２は、引戸Ｄの閉止動作に伴い受け部材５と再係合し、スライド部材３４の停止保持状態を解除するとともに受け部材５と協働して上記解除に伴い引きバネ３２の弾性力を引戸Ｄにスライドアシスト力として付与するように機能する。
【００４９】
この回動掛合片３４２は、正面視で右方に向かって先細りに形成された三角形状を呈する三角ブロック３４２ｂ（図６，７参照）と、この三角ブロック３４２ｂの上面右半分の部分に固定された正面視で右方へ向かって先細りの舌片３４２ｃとを備えている。三角ブロック３４２ｂは、ブロック基体３４１ａの上記切欠き部に配置され、回転軸３４２ａによってブロック基体３４１ａに軸支されている。
【００５０】
舌片３４２ｃは、受け部材５に対して係脱する部材である。この舌片３４２ｃは、その前後幅がガイドスリット３１１ａの前後幅よりも大きく、かつ、回動孔３１１ｂの前後幅よりも小さく寸法設定されているとともに、左右寸法が回動孔３１１ｂの左右寸法よりも短く設定されている。この舌片３４２ｃの先端部（右端部）は回動掛合片３４２の後述する係合姿勢でガイドスリット３１１ａ内に突出する突出部分３４２ｄを有し、この突出部分３４２ｄが回動孔３１１ｂの端縁に係合することにより回動掛合片３４２に回動力を付与するようになされている。そして、舌片３４２ｃは、ガイドスリット３１１ａの範囲内にあるとき、図２に示すように、ガイドスリット３１１ａから上方に突出した状態にあり、この状態で受け部材５に係合している。また、舌片３４２ｃは、回動掛合片３４２が回動孔３１１ｂに至ることにより、図５に示すように、回動孔３１１ｂを通じて回転軸３４２ａを中心に時計方向に回動可能に構成され、この回動に伴い受け部材５との係合状態が解除される。
【００５１】
受け部材５は、装置本体３、詳しくは装置本体３の突出係合部３４１ｂ又は舌片３４２ｃと係合して、装置本体３に制動力やスライドアシスト力を付与するものである。この受け部材５は、図１に示すように左右方向に細長い板状体を曲折された形状を呈し、下方に突出する受け突部５１が構成されている。この受け突部５１の左右幅は、スライド部材３４の突出係合部３４１ｂと舌片３４２ｃとの間隔よりも小さく形成されている。
【００５２】
以上のように構成されたスライドアシスト装置１の作用について、図６〜図８を用いて説明する。図６は引戸Ｄを閉止状態から開放する場合のスライドアシスト装置１の作用を説明するための正面視の一部断面図であり、図７は引戸Ｄを開放した状態から閉止する場合の同装置１の作用を説明するための正面視の一部断面図である。図８は、装置本体３に制動力が作用した場合における引戸固定体２と装置本体３との関係を説明するための概念図であり、初期状態を実線で示し、制動力が作用している場合の第１エッジブロック３１２を二点鎖線で示している。
【００５３】
引戸Ｄのスライドアシスト力の作用について説明しつつ、引戸Ｄの跳ね上げ抑制の作用についても合わせて説明する。
【００５４】
まず、閉止状態にある引戸Ｄを開放する場合の機能について説明する。
【００５５】
スライド部材３４は、引戸Ｄの閉止状態において、図２に示すように、初期位置にあり、ガイドスリット３１１ａの右端部に位置している。この引戸の閉止状態において、図６（Ａ）に示すように、スライド部材３４の回動掛合片３４２は、その舌片３４２ｃがガイドスリット３１１ａを通じて枠体３１から上方に突出した係合姿勢に設定されている。この係合姿勢では、舌片３４２ｃの左端面が受け部材５の受け突部５１の右側面に係合した状態になっている。
【００５６】
そして、この閉止状態から引戸Ｄを左方へ移動させて開放していくと、この開放に伴い装置本体３も左方へ移動するが、舌片３４２ｃが受け突部５１に係合しているため、スライド部材３４の移動が妨げられる。このため、スライド部材３４は、ガイドスリット３１１ａに沿って枠体３１に対して相対的に右方に移動する。このスライド部材３４の移動に伴い引きバネ３２が伸長し、これによりスライド部材３４に引きバネ３２の付勢力が蓄積される。
【００５７】
引戸Ｄを継続して開放していくと、引戸Ｄが所定の開閉途中位置に達し、このときスライド部材３４の舌片３４２ｃが回動孔３１１ｂに達する。この状態からさらに引戸Ｄが開放されると、舌片３４２ｃが受け突部５１によって右方へ向かって押圧され、舌片３４２ｃの先端突出部分３４２ｄが回動孔３１１ｂの右縁部に係合し、回動掛合片３４２が回転軸３４２ａを中心に時計方向に回動する。これによって、図６（Ｂ）に示すように、回動掛合片３４２は、回動孔３１１ｂを通じて回動し、受け突部５１との係合状態が解除された解除姿勢へ姿勢変更する。
【００５８】
このとき、解除姿勢に姿勢変更された舌片３４２ｃは、引きバネ３２の付勢力で左方へ引っ張られ、舌片３４２ｃの左端面が回動孔３１１ｂの左端縁に係止する（図７（Ａ）参照）。これによって、スライド部材３４は、回動孔３１１ｂに対応する保持位置に停止保持されるとともに、回動掛合片３４２の三角ブロック３４２ｂの前方左端部がガイドスリット３１１ａを通じて枠体３１の前方に突出した状態に配置される。
【００５９】
次に、開放状態にある引戸Ｄを閉止する場合の機能について説明する。
【００６０】
全開状態の引戸Ｄを右方へ移動させて閉めていくと、引戸Ｄは上記開閉途中位置に達する。このとき、図７（Ａ）に示すように、三角ブロック３４２ｂの前方左縁部が受け突部５１に干渉し、これによって回動掛合片３４２は、回転軸３４２ａを中心に反時計方向に回動して、その舌片３４２ｃが、回動孔３１１ｂから抜け出し、当該舌片３４２ｃの左角部が回動孔３１１ｂの左縁部へ係止されていた状態が解消される。すなわち、回動掛合片３４２は、受け突部５１に対する解除姿勢から係合姿勢へと姿勢変更する（図７（Ｂ）参照）。
【００６１】
そして、この姿勢変更に伴い引きバネ３２の付勢力が開放されてスライド部材３４に作用し、スライド部材３４は、ダンパー部材３３によって一定の抵抗が付与されつつ、ガイドスリット３１１ａに沿って枠体３１に対して相対的に上記保持位置から初期位置に向かって移動する。このとき、スライド部材３４は受け部材５の受け突部５１に係合しているため、引きバネ３２の付勢力はスライドアシスト力として引戸Ｄの閉止方向に作用する。
【００６２】
ところで、この引戸Ｄの閉止操作にあたって、引戸Ｄの閉止速度が速い場合には、受け部材５の受け突部５１は三角ブロック３４２ｂに干渉した後、スライドブロック３４１の突出係合部３４１ｂに衝突し、ダンパー部材３３による制動力が装置本体３に付与されて引戸Ｄが減速される。従来のスライドアシスト装置１では、この制動力が作用した場合に、引戸Ｄが片当たり状態となって、すなわち引戸Ｄの上部の一端部にのみ制動力が作用して下部に制動力が作用しないので、引戸Ｄと戸枠（構造物）との間に隙間がある場合には、引戸Ｄが跳ね上がる場合があるが、本実施形態のスライドアシスト装置１では、引戸の跳ね上げ抑制装置が装備されているので、この引戸Ｄの跳ね上げを効果的に抑制することができる。
【００６３】
すなわち、引戸Ｄが閉止操作されると、引戸固定体２を含む引戸Ｄにはスライド力Ｐ２（具体的にはスライド操作力又は慣性力：図８参照）が作用している。このとき、受け部材５の受け突部５１とスライド部材３４の突出係合部３４１ｂが干渉すると、ダンパー部材３３による制動力がスライド部材３４を通じて装置本体３に制動力Ｐ１（図８参照）として作用する。この制動力Ｐ１に伴って装置本体３のガイドボス３１４が引戸固定体２の連結部２３における傾斜ガイド孔２３３、特に傾斜ガイド孔２３３の下側傾斜面に沿って押し上げられ、これに伴って装置本体３の全体が上方に押し上げられる（図８参照）。言い換えると、制動力Ｐ１に伴って装置本体３と引戸固定体２とが互いに離反する方向に移動、すなわち上昇する。この装置本体３の離反方向の移動に伴って装置本体３（引戸Ｄ）とガイドレールＬとの隙間（遊び部分）がなくなるとともに、装置本体３が上昇してレールＬの天面を押圧し、上記隙間に基づく引戸Ｄの跳ね上げを簡単かつ確実に抑制することができる。
【００６４】
しかも、引戸Ｄの跳ね上げは引戸Ｄの閉止速度とも密接に関係しており、閉止速度が速ければ速いほど引戸Ｄの跳ね上げが懸念されるが、本実施形態のスライドアシスト装置１では制動力Ｐ１がダンパー部材３３によるものであることから、引戸Ｄの閉止速度が速い程、制動力も大きくなり、この制動力が大きければ、離反方向への移動力も大きくなり、より確実に引戸Ｄの上下方向のバタつきを抑えることができる。すなわち、本実施形態の跳ね上げ抑制装置が装備されたスライドアシスト装置１は、引戸Ｄの閉止速度に応じて、その跳ね上げ抑制力を調整することができ、より簡単、確実に引戸Ｄの跳ね上げを抑制することができる。
【００６５】
スライドブロック３４１が十分に減速された後は、ダンパー部材３３による制動力よりも引きバネ３２による付勢力が上回る。従って、スライド部材３４は、ダンパー部材３３によって一定の抵抗が付与されつつ、ガイドスリット３１１ａに沿って枠体３１に対して相対的に上記保持位置側から初期位置に向かって移動する。
【００６６】
なお、以上に説明したスライドアシスト装置１は、本本実施形態に係る引戸の跳ね上げ抑制装置が装備されたアシスト装置の一実施形態であり、その具体的構成等については適宜変更可能である。以下、本実施形態の変形例を説明する。
【００６７】
（１）上記実施形態では、スライド部材３４について、ブロック基体３４１ａと突出係合部３４１ｂが異なる部材によって構成された分割構成を採用しているが、このブロック基体３４１ａと突出係合部３４１ｂとを、図９に示すように、一体構成してもよい。すなわち、図９に示すスライド部材１３４は、スライドブロック１３５と、このスライドブロック１３５に回動軸１３７によって軸支された回動掛合片１３６とを備え、回動掛合片１３６の一端突出部１３６ａが上記実施形態における舌片３４２ｃの役割を果たし、他端突出部１３６ｂが上記実施形態における突出係合部３４１ｂおよび三角ブロック３４２ｂの一端部（図６，７における左端部）の役割を果たしている。このようにスライドブロックを一体構成することにより部品構成を少なくして一層簡単に構成することができる。
【００６８】
（２）上記実施形態では、引戸固定体２に連結部２３を設けたが、この連結部は装置本体３側（具体的には第１エッジブロック）に設けるものであってもよい。すなわち、図１０に示すように、第１エッジブロック１１４が、枠体３１の一端部に嵌め込まれるブロック本体１１４ａと、このブロック本体１１４ａに回転自在に取り付けられた前後一対のガイドローラ１１４ｂと、ブロック本体１１４ａの下端部に下方に突出した状態で設けられた連結部１１４ｃとを備えて構成され、この連結部１１４ｃに傾斜ガイド孔１１４ｄが設けられるものであってもよい。この場合、引戸固定体１１２には上記連結部１１４ｃが上下動可能に差し込み可能な収容室１１２ａが設けられるとともに上記傾斜ガイド孔１１４ｃに挿入されるガイドボス１１２ｂが設けられる。
【００６９】
また、ガイドボスと傾斜ガイド孔が設けられる部材を引戸固定体２と第１エッジブロック３１２との間で逆に構成するものとしてもよい。
【００７０】
（３）上記実施形態では、引戸固定体２のベースブロック２１が引戸Ｄの頂部に埋設されたものとなされているが、このベースブロック２１の引戸Ｄに対する固定位置は本実施形態におけるものに限定されるものではなく、例えば引戸Ｄの正面（又は背面）等であってもよい。
【００７１】
（４）上記実施形態では、第１および第２のガイドユニット１０，１１について、ガイドローラが設けられたものについて説明しているが、このガイドローラに代えて、ガイドレールＬ内をスライドする滑り部材を設けてもよい。
【００７２】
（５）上記実施形態では、装置本体３は、レールＬ内を転動するガイドローラ３１６およびローラユニットを１３を有するが、この装置本体について、昇降機構により昇降可能な戸首部材によって構成されるものであってもよい。また、さらに、装置本体を引戸Ｄの前面または後面に取り付ける後付タイプから構成するようにしてもよい。
【００７３】
また、上記実施形態では、装置本体３を昇降させるものとしているが、別途、この装置本体に別途昇降可能な押圧ブロックを設け、この押圧ブロックによって構造物を押圧するものとしてもよい。
【符号の説明】
【００７４】
Ｄ  引戸
Ｌ  ガイドレール
１  スライドアシスト装置
２  引戸固定体
３  装置本体（ガイド本体に相当）
５  受け部材
２３  連結部
２３３  傾斜ガイド孔
３１４  ガイドボス
【図１】
0005650447.tif 000002
【図２】
0005650447.tif 000003
【図３】
0005650447.tif 000004
【図４】
0005650447.tif 000005
【図５】
0005650447.tif 000006
【図６】
0005650447.tif 000007
【図７】
0005650447.tif 000008
【図８】
0005650447.tif 000009
【図９】
0005650447.tif 000010
【図１０】
0005650447.tif 000011